(57)【要約】【課題】中間部に浮きやたるみを生ずることのない機械式固定法による防水工法を実施できるものであって、各種の防水屋根として利用できる防水シート材及び防水構造を提供する。【解決手段】本発明の防水シート材１は、非透水性シート材２の裏面側に固定用部材３を一体化してなり、前記固定用部材３は、少なくとも一端が前記非透水性シート材２とは非接着の状態にあることを特徴とする。【選択図】図１
2008025306.tif 000002
【特許請求の範囲】
【請求項１】
非透水性シート材の裏面側に固定用部材を一体化してなり、前記固定用部材は、少なくとも一端が前記非透水性シート材とは非接着の状態にあることを特徴とする防水シート材。
【請求項２】
一枚の非透水性シート材に複数枚の固定用部材を一体化してなることを特徴とする請求項１に記載の防水シート材。
【請求項３】
請求項１又は２に記載の防水シート材を用いた防水構造であって、固定用部材の非接着の部分を下地に固定し、隣接する非透水性シート材同士を重合して接着することを特徴とする防水構造。
【発明の詳細な説明】
【技術分野】
【０００１】
本発明は、中間部に浮きやたるみを生ずることのない機械式固定法による防水工法を実施できるものであって、各種の防水屋根として利用できる防水シート材及び防水構造に関する。
【背景技術】
【０００２】
従来より、防水シートを用いる防水工法は、防水シートの全面を接着（溶着又は融着を含む）する接着法と、防水シートを部分的に固定する機械式固定法が知られている。
【０００３】
接着法は、浮きやたるみを生じ難い反面、施工が面倒であるという問題があった。さらに、接着等は下地の精度や状態に大きく影響されるため、下地に不陸等の凹凸があった場合には、下地とシートの間に空気が残る恐れがあり、破損や接着力の低下を招く恐れがあった。また、下地上にチリ等の不純物が存在した場合も同様であり、防水シートを施工するには、施工前の前処理に手間のかかるものであった。
【０００４】
機械式固定法は、簡易に施工できる反面、中間部において浮きやたるみを生じ易いという問題があった。
そのため、例えば特許文献１に提案されるように、防水シートの中間部をシート固定金具と固定用アンカービスを用いて固定した上、該固定箇所を補強複合樹脂系シートで覆って熱融着する方法がある。
【０００５】
【特許文献１】特開２０００−１８６３９９号公報
【発明の開示】
【発明が解決しようとする課題】
【０００６】
しかしながら、前記方法では、機械式固定法でありながら、固定部分をシートで覆うものであるため、極めて施工が面倒となるものであった。
そこで、本発明は、容易に施工でき、中間部に浮きやたるみを生ずることのない機械式固定法による防水工法を実施できる防水シート材及び防水構造を提案することを目的とする。
【課題を解決するための手段】
【０００７】
本発明は、上記に鑑み提案されたもので、非透水性シート材の裏面側に固定用部材を一体化してなり、前記固定用部材は、少なくとも一端が前記非透水性シート材とは非接着の状態にあることを特徴とする防水シート材に関するものである。
【０００８】
また、本発明は、一枚の非透水性シート材に複数枚の固定用部材を一体化してなることを特徴とする前記防水シート材をも提案するものである。
【０００９】
さらに、本発明は、前記の防水シート材を用いた構造であって、固定用部材の非接着の部分を下地に固定し、隣接する非透水性シート材同士を重合して接着することを特徴とする防水構造をも提案するものである。
【発明の効果】
【００１０】
本発明の防水シート材は、固定用部材の少なくとも一端を非透水性シート材とは非接着の状態としたので、固定用部材の一端を下方へめくって非接着状態の部分を下地にビス止め等の機械式固定にて固定する部分とすればよい。そして、中間部に浮きやたるみを生ずることのない機械式固定法による防水工法を実施でき、各種の防水屋根として好適に利用できるものである。
【００１１】
また、一枚の非透水性シート材に複数枚の固定用部材を一体化してなる防水シート材では、中間部を複数箇所にて下地に固定できるので、より板幅が広い場合に有効であって、中間部における浮きやたるみを生ずることがない。
【００１２】
さらに、本発明の防水構造は、固定用部材の非接着の部分を下地に固定し、隣接する非透水性シート材同士を重合して接着するので、中間部に浮きやたるみを生ずることのない各種の防水屋根として適用することができる。
【発明を実施するための最良の形態】
【００１３】
本発明の防水シート材に用いる非透水性シート材は、溶着、融着等を含む各種の接着手段にて固定用部材と一体化できるものであれば特に限定するものではなく、例えば塩ビ系、オレフィン系のプラスチックシート材、防水シート材でもよい。また、塩ビ等の樹脂層に、ポリクロス、フェルト層、ガラス繊維基布等の芯体又は補強体が積層された構成の複合防水シートでもよく、特に耐火（防火）性能に優れた複合防水シートが望ましい。
【００１４】
また、本発明の防水シート材に用いる固定用部材は、例えば表面化粧鋼板、ラミネート鋼板、メッキ鋼板、ステンレス鋼板、アルミ合金板、チタン合金板、銅板、真鍮板、鉛板等の公知の金属素材等でもよいし、強度の高い厚手のプラスチックシートでもよく、前記非透水性シート材と同質（同種）のシートでもよい。また、この固定用部材の形状は、特に限定するものではなく、矩形状などどのような形状でもよい。
【００１５】
本発明の防水シート材は、非透水性シート材の裏面側に固定用部材を一体化してなり、非接着状態にある部分を除く一体化の状態は、溶着や融着等を含む各種の接着手段が一部を除いて全面的に展開されている状態、即ち一部を除いて全面的に接着している状態でもよいし、例えばドット状、縞状などのように部分的に接着していてもよい。尤も、一体化の状態を維持するためには、特に接着面積の少ない部分的な接着では、剥がれずに強力に接着している必要があるが、特に接着手段について限定するものではない。また、熱接着、熱融着等により接着されていてもよいが、自然界にて発生するような熱量以上で接着又は融着されていることが望ましい。
【００１６】
さらに、本発明の防水シート材は、一枚の非透水性シート材に対し、一枚の固定用部材を一体化させた構成でもよいし、複数枚の固定用部材を一体化させた構成でもよい。固定用部材の数が多い方が、固定箇所が多くなるので、中間部における浮きやたるみを防止する効果も高いものとなる。
【実施例１】
【００１７】
図１に示す実施例では、防水シート材１は、略矩形状の非透水性シート材２の裏面側に固定用部材３を一体化してなり、固定用部材３は、剥がれない一体化された接着部分３１と、非接着の状態にある非接着部分３２とからなる。
【００１８】
図１（ａ）の防水シート材１は、非透水性シート材２としては樹脂層に補強体が積層された構成の複合防水シートを、固定用部材３としては同質の非透水性シート材を用いて工場等にて生産されたものであって、図示しないが固定用部材３には、予め機械式固定に用いるビスを貫通させるためビス孔を設けておくようにしてもよい。
【００１９】
この防水シート材１は、下地４上に敷設する際には、図１（ｄ）に示すように従来と同様に隣接する防水シート材１，１の非透水性シート材２，２の端部同士を重合して接着する方法が採られるが、端部から離れた中間部では、図１（ｂ）に示すように固定用部材３の一端を下方へめくって非接着部分３２を下地４上に沿わせた状態で、固定金具５Ａ及び止着具５Ｂを用いて固定する。
尚、固定用部材３の一端を『下方へめくって』と説明したが、これは固定用部材３として可撓性を有する非透水性シート材を用いたからであって、固定用部材３として金属板片を用いる場合にはこの表現では適当ではない。また、図示実施例では、非透水性シート材２をめくり上げて固定作業を行うようにしているが、単に固定作業に邪魔にならないようにしたものであって、特に限定するものではない。
【００２０】
その後、図１（ｃ）に示すようにめくり上げていた非透水性シート材２を元に戻して下地４上に沿わせ、非接着部分３２や固定部分（固定金具５Ａ及び止着具５Ｂの頭部）を覆うようにする。そのため、固定部分は、非透水性シート材２の裏面側に位置するので、雨水等が浸入することは決してなく、中間部における浮きやたるみを生ずることのない機械式固定法による防水工法となる。
尚、上記下地４は、木造、鉄骨造、コンクリート造等、釘、ビス、アンカー等の固定具が取付可能な全ての建築躯体を用いることができ、この躯体上に断熱その他の必要に応じて敷設する木毛セメント板等のボード類を含み、その下地上にはアスファルト系等の公知の防水シートが敷設してもよい。
【００２１】
このように本発明の防水シート材１は、中間部に浮きやたるみを生ずることのない機械式固定法による防水工法を実施できるものである。
そして、本発明の防水構造は、各種の構造に適用でき、例えばマンションやビル等の陸屋根或いは緩勾配の屋根に施工される防水（床）屋上として、或いは防水性能に優れた緑化構造の下地として、或いはその他の各種建築物等の通常屋根としても利用できる。
【００２２】
図２に示すように防水シート材１に、複数枚の固定用部材３を一体化している場合、中間部を複数箇所にて下地４に固定できるので、より板幅が広い場合に有効であって、中間部における浮きやたるみを生ずることがない。
【図面の簡単な説明】
【００２３】
【図１】（ａ）本発明の防水シート材の一実施例を示す断面図、（ｂ）防水シート材の固定用部材を下地に固定する状況を示す断面図、（ｃ）防水シート材の固定用部材を下地に固定した状況を示す断面図、（ｄ）隣接する防水シート材との接続構造を示す断面図である。
【図２】裏面側に複数枚の固定用部材を一体化してなる防水シート材の一実施例を示す断面図である。
【符号の説明】
【００２４】
１  防水シート材
２  非透水性シール材
３１  接着部分
３２  非接着部分
４  下地
５Ａ  固定金具
５Ｂ  止着具
【図１】
2008025306.tif 000003
【図２】
2008025306.tif 000004